(57)【要約】【課題】ケースを構成する材料の如何に拘わらずコストアップを抑制しつつ２つのケース半体の周壁の先端間に生じる段差を目立たなくすることができる電子機器を提供する。【解決手段】ケース１２は、第１のケース半体１４と第２のケース半体１６とを備え、第１のケース半体１４には２つの案内部材１８が設けられている。２つの案内部材１８は、第１のケース半体１４の内部で互いに対向する左右の側壁１４０４Ｃにそれぞれ配置されている。案内部材１８の係合部１８０６の係合部１８０６が側壁１６０６Ｃの内面に当接することで係合部１８０６が左右の側壁１６０４Ｃに弾接するように構成されている。【選択図】        図６
2005123502.tif 000002
【特許請求の範囲】
【請求項１】
正面壁と、この正面壁の周囲から起立する周壁とを有する第１のケース半体と、
背面壁と、この背面壁の周囲から起立する周壁とを有する第２のケース半体とを備え、
前記正面壁と背面壁が対向するように第１のケース半体と第２のケース半体の周壁の先端が向かい合わせて結合されたケースを有する電子機器であって、
第１のケース半体と第２のケース半体は、それぞれのケース半体の内部で互いに対向する周壁部分を有し、
第１のケース半体と第２のケース半体のうちの少なくとも一方のケース半体の内部で前記周壁部分に弾性を有する案内部材がそれぞれ配置されており、
前記案内部材は他方のケース半体の互いに対向する周壁部分の内側に弾接し、前記互いに対向する周壁部分を結ぶ方向において第１のケース半体の中心と第２のケース半体の中心を合致する方向に付勢している、
ことを特徴とする電子機器。
【請求項２】
前記案内部材は正面壁または背面壁に取着される基部と、前記基部から周壁に沿って起立する起立部と、前記起立部に設けられ前記基部が取着されたケース半体とは別のケース半体の周壁に弾接する係合部とを有していることを特徴とする請求項１記載の電子機器。
【請求項３】
前記案内部材は正面壁または背面壁に取着される基部と、前記基部から周壁に沿って起立する起立部と、前記起立部に設けられ前記基部が取着されたケース半体とは別のケース半体の周壁に弾接する係合部とを有し、前記周壁部分は前記正面壁または背面壁に沿って延在し、前記係合部は前記周壁部分の延在方向に沿って帯状に設けられ、前記第１のケース半体と第２のケース半体の前記周壁部分を平行するように付勢していることを特徴とする請求項１記載の電子機器。
【請求項４】
前記案内部材は正面壁または背面壁に取着される基部と、前記基部から周壁に沿って起立する起立部と、前記起立部に設けられ前記基部が取着されたケース半体とは別のケース半体の周壁に弾接する係合部とを有し、前記周壁部分は前記正面壁または背面壁に沿って延在し、前記係合部は前記周壁部分の延在方向に間隔をおいて複数設けられ、前記第１のケース半体と第２のケース半体の前記周壁部分を平行するように付勢していることを特徴とする請求項１記載の電子機器。
【請求項５】
前記正面壁は矩形を呈し、前記第１のケース半体の周壁は前記正面壁の４辺から起立する４つの側壁を有し、前記背面壁は矩形を呈し、前記第１のケース半体の周壁は背面壁の４辺から起立する４つの側壁を有し、前記案内部材は前記第１のケース半体と第２のケース半体の一方の互いに対向する１組の側壁の内側に配置され、前記第１のケース半体の１組の側壁と前記第２のケース半体の１組の側壁を平行させつつ前記１組の側壁を結ぶ方向における第１のケース半体の中心と第２のケース半体の中心を合致する方向に付勢していることを特徴とする請求項１記載の電子機器。
【請求項６】
前記案内部材は正面壁または背面壁に取着される基部と、前記基部から周壁に沿って起立する起立部と、前記起立部に設けられ前記基部が取着されたケース半体とは別のケース半体の周壁に弾接する係合部とを有し、前記係合部は第１の係合部と第２の係合部とを有し、第１の係合部と第２の係合部とは前記周壁部分の厚さ方向において異なった箇所に位置していることを特徴とする請求項１記載の電子機器。
【請求項７】
前記正面壁および背面壁は平行しており、前記電子機器は前記正面壁および背面壁に平行して延在する液晶保持板を有し、前記案内部材は第１のケース半体の正面壁に取着される基部と、前記基部から周壁に沿って起立する起立部と、前記起立部に設けられ前記第２のケース半体の周壁に弾接する係合部と、前記起立部から該起立部の内側に分岐する取付板部とを有し、前記液晶保持板の両端はそれぞれ前記各案内部材の取付板部に前記第２のケース半体の周壁とともにねじで取着されていることを特徴とする請求項１記載の電子機器。
【請求項８】
前記第１のケース半体、第２のケース半体、案内部材および液晶保持板は導電性を有する材料で構成されていることを特徴とする請求項７記載の電子機器。
【発明の詳細な説明】
【技術分野】
【０００１】
本発明は電子機器に関し、より詳細には２つのケース半体からなる電子機器のケースに関する。
【背景技術】
【０００２】
従来から、正面を構成するケース半体と背面を構成するケース半体との２つのケース半体が結合されたケースを有する電子機器が提供されている（例えば特許文献１参照）。
これら２つのケース半体を第１、第２のケース半体とすれば、第１のケース半体は、正面壁と、この正面壁の周囲から起立する周壁とを有し、第２のケース半体は、背面壁と、この背面壁の周囲から起立する周壁とを有している。
そして、第１、第２のケース半体は、正面壁と背面壁が対向するようにそれらの周壁の先端が向かい合わされ、第１、第２のケース半体に設けられたボスを介してねじなどによって結合されている。
【特許文献１】特開平８−２３６９５１号公報
【発明の開示】
【発明が解決しようとする課題】
【０００３】
しかしながら上述の電子機器では、第１、第２のケース半体の寸法誤差や組立誤差に起因して、第１、第２のケース半体が結合された状態で、第１、第２のケース半体の周壁の外面に該周壁の厚さ方向に段差が生じることが避けられず、ケースの美観を損ねる欠点があった。
従来、このような段差の対策としては次のようなものがあった。
１）第１、第２のケース半体の周壁の先端でその外面に、所定寸法の幅の溝を前記先端に沿って延在形成することで前記段差を視覚的に目立たなくする。
２）第１、第２のケース半体の周壁の先端間に合成樹脂などからなるモールド部材を挟むことで前記段差を視覚的に目立たなくする。
３）前記段差が生じないように第１、第２のケース半体の部品精度や組立精度を極めて高精度にする。
第１の対策はケース半体が合成樹脂で形成されている場合には適用できるが、金属材料で形成されている場合には適用が困難である。
第２の対策はモールド部材を新たに設けるためにコストがかかり、デザインが制約される難点がある。
第３の対策は部品コストや製造コストが高価となる不具合がある。
本発明はこのような事情に鑑みなされたものであり、ケースを構成する材料の如何に拘わらずコストアップを抑制しつつ２つのケース半体の周壁の先端間に生じる段差を目立たなくすることができる電子機器を提供することにある。
【課題を解決するための手段】
【０００４】
上述の目的を達成するため、本発明の電子機器は、正面壁と、この正面壁の周囲から起立する周壁とを有する第１のケース半体と、背面壁と、この背面壁の周囲から起立する周壁とを有する第２のケース半体とを備え、前記正面壁と背面壁が対向するように第１のケース半体と第２のケース半体の周壁の先端が向かい合わせて結合されたケースを有する電子機器であって、第１のケース半体と第２のケース半体は、それぞれのケース半体の内部で互いに対向する周壁部分を有し、第１のケース半体と第２のケース半体のうちの少なくとも一方のケース半体の内部で前記周壁部分に弾性を有する案内部材がそれぞれ配置されており、前記案内部材は他方のケース半体の互いに対向する周壁部分の内側に弾接し、前記互いに対向する周壁部分を結ぶ方向において第１のケース半体の中心と第２のケース半体の中心を合致する方向に付勢していることを特徴とする。
【発明の効果】
【０００５】
そのため、本発明によれば、案内部材が第１のケース半体と第２のケース半体のうちの少なくとも一方のケース半体の内部で互いに対向する周壁部分の内側に弾接することにより、互いに対向する周壁部分を結ぶ方向において第１のケース半体の中心と第２のケース半体の中心とが合致する方向に付勢され、第１のケース半体の中心と、第２のケース半体の中心が合致するように動かされる。これにより、第１のケース半体の周壁の先端と第２のケース半体の周壁の先端との間に生じる段差を、互いに対向する周壁部分を結ぶ方向の両側でそれぞれ均等にして視覚的に目立たなくさせることができる。そして、第１、第２のケース半体や案内部材の部品精度を特別に高精度にしたり、特殊な加工を施したりする必要が無いため、コストアップを抑制する上でも有利であり、ケース半体を構成する材料が限定されない。
【発明を実施するための最良の形態】
【０００６】
コストアップを抑制しつつ２つのケース半体の周壁の先端間に生じる段差を目立たなくするという目的を、第１のケース半体と第２のケース半体のうちの少なくとも一方のケース半体の内部で互いに対向する周壁部分に弾性を有する案内部材を設ける構成によって実現した。
【実施例１】
【０００７】
次に本発明の実施例１について図面を参照して説明する。
本実施例では、電子機器が撮像装置で構成されている場合について説明する。
図１は実施例１の撮像装置を前方から見た斜視図、図２は実施例１の撮像装置を後方から見た斜視図、図３は実施例１の撮像装置を下方から見た斜視図、図４はメモリカードおよびバッテリーの収容状態を説明する説明図、図５は撮像装置の制御系を示すブロック図である。
図１、図２に示すように、撮像装置１０は外装を構成する矩形板状のケース１２を有し、ケース１２は、正面（前面）に位置する第１のケース半体１４と、背面（後面）に位置する第２のケース半体１６とが結合されて構成されている。ケース１２の構成について後で詳述する。なお、本明細書においてケース１２の左右はケース１２を前方から見た状態でいうものとする。
ケース１２の正面上部には撮影光学系１０４を収容する鏡筒１０６、撮影補助光を出射するフラッシュ１０８、セルフタイマーランプ１１０などが設けられている。
ケース１２の正面にはカバー１１２が上下にスライド可能に設けられ、このカバー１１２は、図１に示すように鏡筒１０６、フラッシュ１０８、セルフタイマーランプ１１０を前方に露出させる下限位置と、これら鏡筒１０６、フラッシュ１０８、セルフタイマーランプ１１０を覆う上限位置とにスライドされる。
ケース１２の上面の左寄り箇所には、シャッターボタン１１４、電源ボタン１１６などが設けられている。
ケース１２の背面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１２の左側面には、撮像装置１０を静止画撮影モード、動画撮影モード、再生・編集モードなどに切り替えるためのモードスイッチ１２６が設けられている。
図３、図４に示すように、ケース１２の下面には、画像などを記録するためのメモリカード１３２を装脱可能に収容するメモリ収容室１２０２と、撮像装置１０の電源を構成するバッテリー１３８を装脱可能に収容するバッテリー収容室１２０４とがケース１２の前後方向（厚さ方向）に並べて設けられている。これらメモリ収容室１２０２、バッテリー収容室１２０４はケース１２の下面にヒンジを介して連結された開閉蓋１２０６によって開閉される。
【０００８】
図５に示すように、撮像装置１０は、撮影光学系１０４によって結像された被写体像を撮像するＣＣＤやＣＭＯＳセンサなどで構成された撮像素子１２８を有している。
撮像素子１２８で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１０は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図６はケース１２の分解斜視図、図７は第１のケース半体１４の斜視図である。
図６、図７に示すように、ケース１２は、第１のケース半体１４と第２のケース半体１６とを備え、第１のケース半体１４には２つの案内部材１８が設けられている。本実施例では、これら第１のケース半体１４、第２のケース半体１６、案内部材１８は導電性を有する金属材料で構成されており、第１、第２のケース半体１４、１６は同一の厚さで形成されている。
第１のケース半体１４は、矩形状の正面壁１４０２と、この正面壁１４０２の周囲（四辺）から起立する４つの周壁１４０４とを有し、該周壁１４０４は、正面壁１４０２の上辺、下辺、左右辺に対応した上壁１４０４Ａ、下壁１４０４Ｂ、左右の側壁１４０４Ｃによって構成されている。
正面壁１４０２には、鏡筒１０６、フラッシュ１０８、セルフタイマーランプ１１０をそれぞれ露出させるための開口が設けられ、上壁１４０４Ａには、シャッターボタン１１４、電源ボタン１１６などを露出させるための凹部が設けられ、下壁１４０４Ｂには、メモリ収容室１２０２、バッテリー収容室１２０４を露出させるための凹部が設けられている。
【００１０】
第２のケース半体１６は、矩形状の背面壁１６０２と、この背面壁１６０２の周囲（四辺）から起立する４つの周壁１６０４とを有し、該周壁１６０４は、背面壁１６０２の上辺、下辺、左右辺に対応した上壁１６０４Ａ、下壁１６０４Ｂ、左右の側壁１６０４Ｃによって構成されている。
背面壁１６０２には、ディスプレイ１１８、ズームスイッチ１２０、十字スイッチ１２２、複数の操作ボタン１２４を露出させるための開口が設けられ、上壁１４０４Ａには、シャッターボタン１１４、電源ボタン１１６などを露出させるための凹部が設けられ、下壁１４０４Ｂには、メモリ収容室１２０２、バッテリー収容室１２０４を露出させるための凹部が設けられ、左側の側壁１６０４Ｃには、モードスイッチ１２６を露出させるための開口が設けられている。
また、各側壁１６０６Ｃの上下２箇所には、ねじ２が挿通されるねじ挿通孔１６０６が設けられ、本実施例では、図８、図９の断面図に示すように、側壁１４６Ｃの内面で各ねじ挿通孔１６０６の周囲に、該ねじ挿通孔１６０６の外周を囲むように座面１６０８が形成されており、該座面１６０８は側壁１６０６Ｃの内面に対して内側に突出している。
また、第１、第２のケース半体１４、１６は、第１のケース半体１４の上壁１４０４Ａ、下壁１４０４Ｂ、各側壁１４０４Ｃの先端と、第２のケース半体１６の上壁１６０４Ａ、下壁１６０４Ｂ、各側壁１６０４Ｃの先端とがそれぞれ互いに突き当てられた状態で、上壁１４０４Ａ、上壁１６０４Ａが互いに合致し、かつ、下壁１４０４Ｂ、１６０４Ｂが互いに合致し、各側壁１４０４Ｃ、１６０４Ｃが互いに合致する寸法で設計されている。
【００１１】
図６、図７に示すように、２つの案内部材１８は、第１のケース半体１４の内部で互いに対向する左右の側壁１４０４Ｃ（周壁１４０４部分）にそれぞれ配置されている。
案内部材１８はそれぞれ、基部１８０２と、起立部１８０４と、第１係合部１８０６と、２つの第２係合部１８０８とを有している。
基部１８０２は、左右の側壁１４０４Ｃに沿って延在形成され、第１のケース半体１４の正面壁１４０２に溶接などによって取着されている。
起立部１８０４は、基部１８０２から左右の側壁１４０４Ｃに沿って起立して帯状に形成され、２つの切り欠きによって中央部分とその両端部分の３つに分離され、前記中央部分に第１係合部１８０６が設けられ、前記両端部分に２つの第２係合部１８０８が設けられている。
第１係合部１８０６は、絞り加工などによって側壁１４０４Ｃの上縁に沿って帯状に延在形成され、図８に示すように、その下半部が側壁１４０４Ｃの内面に当接しており、その上半部が側壁１４０Ｃの上方に露出している。
そして、第１のケース半体１４の左右の側壁１４０４Ｃ間の寸法と、第２のケース半体１６の左右の側壁１６０４Ｃ間の寸法とがほぼ等しいか、あるいは、第１のケース半体１４の左右の側壁１４０４Ｃ間の寸法が、第２のケース半体１６の左右の側壁１６０４Ｃ間の寸法よりも大きい場合に、正面壁１４０２と背面壁１６０２とが平行するように第１のケース半体１４と第２のケース半体１６の上壁１４０４Ａ、１６０４Ａ、下側壁１４０４Ｃ、１６０４Ｃ、側壁１４０４Ｃ、１６０４Ｃの先端を合わせると、第１係合部１８０６が第２ケース半体１６の左右の側壁１６０４Ｃに弾接し、第１ケース半体１４の両側の側壁１４０４Ｃを結ぶ方向における第１のケース半体１４の中心と、第２ケース半体１６の両側の側壁１６０４Ｃを結ぶ方向における第２のケース半体の中心とを合致する方向に付勢する。また、本実施例では、第１係合部１８０６は、側壁１４０４Ｃの延在方向に沿って帯状に延在形成されているので、第１のケース半体１４の側壁１４０６Ｃと第２のケース半体１６の側壁１６０６Ｃとが平行した状態が維持されるように付勢される。
【００１２】
図９、図１０に示すように、第２係合部１８０８は側壁１４０Ｃの上方に露出し、第１係合部１８０６よりも第１のケース半体１４の内側に位置しており、したがって第１係合部と第２係合部は側壁の厚さ方向において異なった箇所に位置していることになる。
そして、第１のケース半体１４の左右の側壁１４０４Ｃ間の寸法が、第２のケース半体１６の左右の側壁１６０４Ｃ間の寸法よりも小さい場合に、正面壁１４０２と背面壁１６０２とが平行するように第１のケース半体１４と第２のケース半体１６の上壁１４０４Ａ、１６０４Ａ、下側壁１４０４Ｃ、１６０４Ｃ、側壁１４０４Ｃ、１６０４Ｃの先端を合わせると、第２係合部１８０８は第２のケース半体１６の左右の側壁１６０４Ｃの座面１６０８に弾接し、第１ケース半体１４の両側の側壁１４０４Ｃを結ぶ方向における第１のケース半体１４の中心と、第２ケース半体１６の両側の側壁１６０４Ｃを結ぶ方向における第２のケース半体１６の中心とを合致する方向に付勢する。また、本実施例では、第２係合部１８０８は、側壁１４０４Ｃの延在方向に間隔をおいて２つ設けられているので、第１のケース半体１４の側壁１４０６Ｃと第２のケース半体１６の側壁１６０６Ｃとが平行した状態が維持されるように付勢される。
なお、第２係合部１８０８には、ねじ２が第２のケース半体１６のねじ挿通孔１６０６を介して螺合されるねじ孔１８０８Ａが設けられている。
【００１３】
次に、２つの案内部材１８が取着された第１のケース半体１４と、第２のケース半体１６との組立について説明する。
まず、図８に示すように、加工時の誤差などから第１のケース半体１４の左右方向の幅Ａが第２のケース半体１６の左右方向の幅Ｂよりもわずかに大きくなっている場合について説明する。
第１のケース半体１４の正面壁１４０２と第２のケース半体１６の背面壁１６０２が平行するように第１のケース半体１４の周壁１４０４と第２のケース半体１６の周壁１６０４の先端を向かい合わせて突き当てる。
すると、２つの第１係合部１８０６が第２のケース半体１６の左右の側壁１６０６Ｃの内面にそれぞれ当接することにより第１係合部１８０６が左右の側壁１６０４Ｃに弾接する。
これにより、第１のケース半体１４および第２のケース半体１６は、案内部材１８によって、互いに対向する左右の側壁１４０４Ｃ、１６０４Ｃを結ぶ方向において第１のケース半体１４の中心と第２のケース半体１６の中心とが合致する方向に付勢され、かつ、第１のケース半体１４の側壁１４０６Ｃと第２のケース半体１６の側壁１６０６Ｃとが平行するように付勢される。
すると、ケース１２の左右の側面において第１のケース半体１４の両側壁１４０４Ｃの先端と第２のケース半体１６の両側壁１６０４Ｃの先端との間に生じる段差は、左右の側面において均等量となり、かつ、ケース１２の上下にわたり均等量で生じる。
この状態で、ねじ２を、第２のケース半体１６の各ねじ挿通孔１６０６を介して案内部材１８の各ねじ孔１８０８Ａに螺合することで第１、第２のケース半体１４、１６が結合される。
【００１４】
次に、図９に示すように、第１のケース半体１４の左右方向の幅Ａが第２のケース半体１６の左右方向の幅Ｂよりもわずかに小さい場合について説明する。
図８の場合と同様に、第１のケース半体１４の正面壁１４０２と第２のケース半体１６の背面壁１６０２が平行するように第１のケース半体１４の周壁１４０４と第２のケース半体１６の周壁１６０４の先端を向かい合わせて突き当てる。
すると、２つの第１係合部１８０６は、第２のケース半体１６の左右の側壁１６０６Ｃの内面との間に隙間が生じ互いに当接しないが、本実施例では、第２係合部１８０８が左右の側壁１６０６Ｃの座面１６０８に当接することによって、第２係合部１８０８が左右の側壁１６０４Ｃに弾接する。
これにより、第１のケース半体１４および第２のケース半体１６は、図８の場合と同様に、案内部材１８によって、互いに対向する左右の側壁１４０４Ｃ、１６０４Ｃを結ぶ方向において第１のケース半体１４の中心と第２のケース半体１６の中心とが合致する方向に付勢され、かつ、第１のケース半体１４の側壁１４０６Ｃと第２のケース半体１６の側壁１６０６Ｃとが平行するように付勢される。
すると、ケース１２の左右の側面において第１のケース半体１４の両側壁１４０４Ｃの先端と第２のケース半体１６の両側壁１６０４Ｃの先端との間に生じる段差は、左右の側面において均等量となり、かつ、ケース１２の上下にわたり均等量で生じる。
この状態で、ねじ２を、第２のケース半体１６の各ねじ挿通孔１６０６を介して案内部材１８の各ねじ孔１８０８Ａに螺合することで第１、第２のケース半体１４、１６が結合される。
【００１５】
以上説明したように、本実施例によれば、第１のケース半体１４の内部で互いに対向する側壁１４０４Ｃに弾性を有する案内部材１８がそれぞれ配置され、案内部材１８は第２のケース半体１６の互いに対向する側壁１６０４Ｃの内側に弾接し、互いに対向する側壁１４０４Ｃ、１６０４Ｃを結ぶ方向において第１のケース半体１４の中心と第２のケース半体１６の中心を合致する方向に付勢する構成としたので、互いに対向する側壁１４０４Ｃ、１６０４Ｃの先端間に生じる段差を、側壁１４０４Ｃ、１６０４Ｃを結ぶ方向の両側でそれぞれ均等にして視覚的に目立たなくさせることができ、しかも、第１、第２のケース半体１４、１６や案内部材１８の部品精度を特別に高精度にしたり、特殊な加工を施したりする必要が無いため、コストアップを抑制する上でも有利であり、第１、第２のケース半体１４、１６を構成する材料が限定されることもない。
また、本実施例では、第１係合部１８０６および第２係合部１８０８が、第１のケース半体１４の側壁１４０６Ｃと第２のケース半体１６の側壁１６０６Ｃとが平行するように付勢するので、互いに対向する側壁１４０４Ｃ、１６０４Ｃの先端間に生じる段差を目立たなくさせる上で極めて有利となる。
【００１６】
また、本実施例では、第１、第２のケース半体１４、１６、案内部材１８を導電性を有する材料で構成し、第１のケース半体１４に設けられた各案内部材１８に第２のケース半体１６を取着したので、第１、第２のケース半体１４、１６が電気的に確実に接続されるため、不要輻射の遮蔽を図る上で、あるいは、静電気の進入を防止する上で有利となる。
また、本実施例では、第１、第２のケース半体１４、１６、案内部材１８を金属材料としたが、第１、第２のケース半体１４、１６、案内部材１８を金属材料以外の材料、例えば合成樹脂材料で構成してもよいことはもちろんである。
また、本実施例では、案内部材１８の係合部を第１係合部１８０６と２つの第２係合部１８０８で構成し、第１のケース半体１４の左右方向の幅Ａが第２のケース半体１６の左右方向の幅Ｂよりも大である場合と、第１のケース半体１４の左右方向の幅Ａが第２のケース半体１６の左右方向の幅Ｂよりも小である場合の双方に適用できるように構成したが、係合部１８０６、１８０８の形状は任意であり、例えば、図１０に示すように、係合部１８１０を断面くの字状に形成すると、第１のケース半体１４の左右方向の幅Ａが第２のケース半体１６の左右方向の幅Ｂよりも大である場合と、第１のケース半体１４の左右方向の幅Ａが第２のケース半体１６の左右方向の幅Ｂよりも小である場合の双方に単一の係合部１８１０で対応することが可能となる。
【実施例２】
【００１７】
次に、実施例２について説明する。
実施例２が実施例１と異なる点は、第１のケース半体１４と第２のケース半体１６との間に液晶保持板２０を設け、液晶保持板２０を第２のケース半体１６に取着した点である。
図１１は実施例２のケースの分解斜視図、図１２は実施例２のケースの要部断面図である。なお、以下では実施例１と同様または同一の部分には同一の符号を付してその説明を省略する。
図１１に示すように、撮像装置１０は、ディスプレイ１２０を保持する液晶保持板２０を有している。
液晶保持板２０は、第１板部２００２と、第２板部２００４と、４つの取付片部２００６とを備えている。本実施例では、液晶保持板２０は、導電性を有する金属材料で構成されている。
第１板部２００２は、ディスプレイ１２０の背面、すなわち表示面と反対側の面の全面を覆う形状と大きさで形成されている。
第２板部２００４は、取着板部２００２の左側の側辺に接続され、かつ、取着板部２００２と平行をなした状態でケース１２の背面側に変位した矩形板状に形成されている。
取付片部２００６は、液晶保持板２０の両端、すなわち第１板部２００２の右辺の上下２箇所と、第２板部２００４の左辺の上下２箇所にそれぞれ設けられている。各取付片部２００６には、ねじ２が挿通されるねじ挿通孔２００８が設けられ、該ねじ２がねじ挿通孔２００８を挿通して案内部材１８の第２係合部１８０８のねじ孔１８０８Ａに螺合するように構成されている。本実施例では第２係合部１８０８によって特許請求の範囲の取付板部が構成されている。
本実施例では、第１、第２のケース半体１４、１６が結合された状態で、正面壁１４０２および背面壁１６０２は平行しており、ねじ２によって各取付片部２００６が案内部材１８の各第２係合部１８０８に取付けられた状態で、液晶保持板２０が正面壁１４０２および背面壁１６０２に平行して延在するように構成されている。
【００１８】
次に２つの案内部材１８が取着された第１のケース半体１４と、第２のケース半体１６と、液晶保持板２０との組立について説明する。
図１２に示すように、液晶保持板２０の第１板部２００２の背面にディスプレイ１２０の背面を接着剤などにより取着する。図中、１１９は正面壁１４０２側に取着された光学部品および電気部品である。
次いで、液晶保持板２０の各取付片部２００６を、第１のケース半体１４の正面壁１４０２の背面側から案内部材１８の各第２係合部１８０８上に載置する。
そして、液晶保持板２０の背面側から第２のケース半体１６を第１のケース半体１４に組付け、第１のケース半体１４の正面壁１４０２と第２のケース半体１６の背面壁１６０２が対向するように第１のケース半体１４の周壁１４０４と第２のケース半体１６の周壁１６０４の先端を向かい合わせて突き当てる。この際、ディスプレイ１１８の表示面と第２のケース半体１６の背面壁１６０２の開口の縁部の間にはクッション材１１８Ａが介装される。
すると、実施例１の場合と同様に、第１係合部１８０６が第２のケース半体１６の左右の側壁１６０６Ｃの内面にそれぞれ当接することにより係合部１８０６が左右の側壁１６０４Ｃに弾接する。あるいは、第２係合部１８０８が取付片部２００６を介して左右の側壁１６０６Ｃの座面１６０８に当接することによって、第２係合部１８０８が左右の側壁１６０４Ｃに弾接する。
これにより、第１のケース半体１４および第２のケース半体１６は、図８の場合と同様に、案内部材１８によって、互いに対向する左右の側壁１４０４Ｃ、１６０４Ｃを結ぶ方向において第１のケース半体１４の中心と第２のケース半体１６の中心とが合致する方向に付勢され、かつ、第１のケース半体１４の側壁１４０６Ｃと第２のケース半体１６の側壁１６０６Ｃとが平行するように付勢される。
すると、ケース１２の左右の側面において第１のケース半体１４の両側壁１４０４Ｃの先端と第２のケース半体１６の両側壁１６０４Ｃの先端との間に生じる段差は、左右の側面において均等量となり、かつ、ケース１２の上下にわたり均等量で生じる。
この状態で、ねじ２を、第２のケース半体１６の各ねじ挿通孔１６０６および液晶保持板２０のねじ挿通孔２００８を介して案内部材１８の各ねじ孔１８０８Ａに螺合することで第１、第２のケース半体１４、１６の間に液晶保持板２０が挟まれた状態で結合される。
【００１９】
以上説明したように本実施例によれば、実施例１と同様に、互いに対向する側壁１４０４Ｃ、１６０４Ｃの先端間に生じる段差を、側壁１４０４Ｃ、１６０４Ｃを結ぶ前記方向の両側でそれぞれ均等にして目立たなくさせることができ、コストアップを抑制する上で有利であり、第１、第２のケース半体１４、１６を構成する材料が限定されることもない。
また、液晶保持板２０の両端をそれぞれ各案内部材１８の第２係合部１８０８に第２のケース半体１６の側壁１６０４Ｃとともにねじ２で取着したので、第１、第２のケース半体１４、１６および液晶保持板２０を結合するために必要なねじ２の数量を抑制することができ、部品コストを抑制するとともに、組立の効率化を図る上で有利となる。
また、液晶保持板２０の両端をそれぞれ各案内部材１８の第２係合部１８０８に第２のケース半体１６の側壁１６０４Ｃとともにねじ２で取着したので、ケース１２が薄型であり、かつ、ケース１２の板厚が薄い場合であっても、ケース１２の剛性を高めることができ、ケース１２を手で持ったときのねじれ剛性感や質感を高める上で有利である。
また、液晶保持板２０の両端をそれぞれ各案内部材１８の第２係合部１８０８に第２のケース半体１６の側壁１６０４Ｃとともにねじ２で取着したので、第１、第２のケース半体１４、１６と液晶保持板２０が電気的に確実に接続されるため、不要輻射の遮蔽を図る上で、あるいは、静電気の進入を防止する上で有利となる。
液晶保持板２０の第１板部２００２によってディスプレイ１１８の背面を全面にわたって保持するので、ガラス板を含んで構成されるディスプレイ１１８を安定して確実に保持する上で有利となる。
液晶保持板２０が金属材料で構成されているため、ディスプレイ１１８をその背面から照明装置（バックライト）によって照明する際に発生する熱を効率的に放熱する上で有利となる。
【００２０】
なお、各実施例では、案内部材１８を第１のケース半体１４に設けたが、案内部材１８を第２のケース半体１６に設けてもよく、あるいは、第１のケース半体１４および第２のケース半体１６の双方に設けてもよい。
また、案内部材１８の第１のケース半体１４への取着は溶接に限定されるものではなく、ねじ止め、接着など従来公知の様々な方法を適用可能である。
また、各実施例では、第１、第２のケース半体１４、１６の左右の側壁１４０４Ｃ、１６０４Ｃの先端間の段差を目立たなくするようにしたが、第１、第２のケース半体１４、１６の上壁１４０４Ａ、１６０４Ａおよび下壁１４０４Ｂ、１６０４Ｂの先端間の段差を目立たなくするようにしてもよいし、これら左右の側壁および上壁、下壁の先端間の全ての段差を目立たなくするようにしてもよい。
また、各実施例においては、電子機器として撮像装置を例示したが、本発明は種々の電子機器に適用可能である。
【図面の簡単な説明】
【００２１】
【図１】実施例１の撮像装置を前方から見た斜視図である。
【図２】実施例１の撮像装置を後方から見た斜視図である。
【図３】実施例１の撮像装置を下方から見た斜視図である。
【図４】メモリカードおよびバッテリーの収容状態を説明する説明図である。
【図５】撮像装置の制御系を示すブロック図である。
【図６】ケース１２の分解斜視図である。
【図７】第１のケース半体１４の斜視図である。
【図８】ケース１２の断面図である。
【図９】ケース１２の断面図である。
【図１０】実施例１の変形例を示す要部断面図である。
【図１１】実施例２のケースの分解斜視図である。
【図１２】実施例２のケースの要部断面図である。
【符号の説明】
【００２２】
１０……撮像装置、１２……ケース、１４……第１のケース半体、１６……第２のケース半体、１８……案内部材、１４０２……正面壁、１４０４Ｃ……側壁、１６０２……背面壁１６０２Ｃ……側壁。
【図１】
2005123502.tif 000003
【図２】
2005123502.tif 000004
【図３】
2005123502.tif 000005
【図４】
2005123502.tif 000006
【図５】
2005123502.tif 000007
【図６】
2005123502.tif 000008
【図７】
2005123502.tif 000009
【図８】
2005123502.tif 000010
【図９】
2005123502.tif 000011
【図１０】
2005123502.tif 000012
【図１１】
2005123502.tif 000013
【図１２】
2005123502.tif 000014